(57)【要約】【課題】走査周波数の異なる映像信号をひとつの表示装置内に分割表示できるようにする。【解決手段】タイミング制御部２２は、走査周波数ｆ1Ｈｚ乃至ｆnＨｚの各映像信号に対して、任意の走査周波数とパネル入力インタフェースに応じた変換を行った後、変換後の各映像信号をソースドライバ２３およびゲートドライバ２４に提供する。これにより、ＴＦＴ液晶表示パネル２５は、ソースドライバ２３およびゲートドライバ２４の制御に基づいて、ひとつの画面内の分割された各領域に、走査周波数変換方式の異なる映像信号を同時に表示することができるようになる。本発明は、例えば液晶表示装置に適用することができる。【選択図】図２
2010002576.tif 000002
【特許請求の範囲】
【請求項１】
複数種類の映像信号のそれぞれに対応する各映像を、表示装置の表示領域を分割した各分割領域にそれぞれ表示させるタイミングの制御を、前記各分割領域毎に独立して実行するタイミング制御手段
を備える情報処理装置。
【請求項２】
前記表示装置は、画素型表示装置であり、
前記画素型表示装置を構成する表示素子の表示の制御は、ソースドライバとゲートドライバとの駆動によりなされ、
前記各分割領域のそれぞれを担当する前記ソースドライバと前記ゲートドライバとが割り当てられており、
前記制御手段は、前記各分割領域毎に、各担当の前記ソースドライバと前記ゲートドライバとの駆動タイミングを制御する
請求項１に記載の情報処理装置。
【請求項３】
前記各分割領域はｎ個（ｎは２以上の整数値）存在し、
n個の前記分割領域のそれぞれに対する担当の前記ゲートドライバとして、１つのゲートドライバが割り当てられており、
n個の前記分割領域のうち、ｘ個（ｘは２以上ｎ以下の整数値）の分割領域を一括して担当するソースドライバとして、１つのソースドライバが割り当てられており、
前記制御手段は、
前記ソースドライバが担当するｘ個の前記分割領域のそれぞれに割り当てられた前記ゲートドライバの各水平１ライン駆動時間内に、前記ソースドライバからそれぞれの前記ゲートドライバへ時分割かつ重複を禁止する信号の供給を行う制御を実行する
請求項２に記載の情報処理装置。
【請求項４】
前記複数種類の映像信号は、異なる走査周波数の映像信号を２以上含む
請求項１に記載の情報処理装置。
【請求項５】
入力映像信号の走査周波数を変換する変換手段を
さらに備える請求項４に記載の情報処理装置。
【請求項６】
前記変換手段は、入力映像信号の走査周波数を変換する手法として、複数の手法を用いて、前記入力映像信号の走査周波数を変換し、その結果得られる複数種類の映像信号の中から、前記各表示領域に表示させる映像信号を選択する
請求項５に記載の情報処理装置。
【請求項７】
情報処理装置が、
複数種類の映像信号のそれぞれに対応する各映像を、表示装置の表示領域を分割した各分割領域にそれぞれ表示させるタイミングの制御を、前記各分割領域毎に独立して実行する
ステップを含む情報処理方法。
【請求項８】
コンピュータに、
複数種類の映像信号のそれぞれに対応する各映像を、表示装置の表示領域を分割した各分割領域にそれぞれ表示させるタイミングの制御を、前記各分割領域毎に独立して実行する
ステップを含む制御処理を実行させるプログラム。
【発明の詳細な説明】
【技術分野】
【０００１】
本発明は、情報処理装置および方法並びにプログラムに関し、特に、走査周波数の異なる映像信号をひとつのディスプレイ内に分割表示できるようになった情報処理装置および方法並びにプログラムに関する。
【背景技術】
【０００２】
従来から、走査周波数の異なる映像信号を入力可能なディスプレイが存在した。かかるディスプレイは、入力映像信号の走査周波数によらず、出力映像信号の走査周波数が一定となるように内部変換を行い表示する。内部変換としては、単純に内部フォーマット変換するものを始め、走査周波数変換などの信号処理（例えば特許文献１参照）を含むものもある。例えば、映画の映像信号は走査周波数が24Hzで記録されている。この走査周波数を、一般的な映像信号の走査周波数60Hzに変換する技術などが知られている。
【０００３】
走査周波数変換をはじめとする各種内部変換が施された映像信号は、視覚的に異なる映像となって表示される。よって、従来、これらの各映像を同時比較するためには、複数のディスプレイに各映像を表示させることが一般的であった。
【特許文献１】特開平7-59054号公報
【発明の開示】
【発明が解決しようとする課題】
【０００４】
このため、走査周波数の異なる映像信号をひとつのディスプレイ内に分割表示することが要求されている。しかしながら、従来の技術では、かかる要望に十分に応えられない状況である。
【０００５】
本発明は、このような状況に鑑みてなされたものであり、走査周波数の異なる映像信号をひとつのディスプレイ内に分割表示できるようにするものである。
【課題を解決するための手段】
【０００６】
本発明の一側面の情報処理装置は、複数種類の映像信号のそれぞれに対応する各映像を、表示装置の表示領域を分割した各分割領域にそれぞれ表示させるタイミングの制御を、前記各分割領域毎に独立して制御するタイミング制御手段を備える。
【０００７】
前記表示装置は、画素型表示装置であり、前記画素型表示装置を構成する表示素子の表示の制御は、ソースドライバとゲートドライバとの駆動によりなされ、前記各分割領域のそれぞれを担当する前記ソースドライバと前記ゲートドライバとが割り当てられており、前記制御手段は、前記各分割領域毎に、各担当の前記ソースドライバと前記ゲートドライバとの駆動タイミングを制御する。
【０００８】
前記各分割領域はｎ個（ｎは２以上の整数値）存在し、n個の前記分割領域のそれぞれに対する担当の前記ゲートドライバとして、１つのゲートドライバが割り当てられており、n個の前記分割領域のうち、ｘ個（ｘは２以上ｎ以下の整数値）の分割領域を一括して担当するソースドライバとして、１つのソースドライバが割り当てられており、前記制御手段は、前記ソースドライバが担当するｘ個の前記分割領域のそれぞれに割り当てられた前記ゲートドライバの各水平１ライン駆動時間内に、前記ソースドライバからそれぞれの前記ゲートドライバへ時分割かつ重複を禁止する信号の供給を行う制御を実行する。
【０００９】
前記複数種類の映像信号は、異なる走査周波数の映像信号を２以上含む。
【００１０】
入力映像信号の走査周波数を変換する変換手段をさらに備える。
【００１１】
前記変換手段は、入力映像信号の走査周波数を変換する手法として、複数の手法を用いて、前記入力映像信号の走査周波数を変換し、その結果得られる複数種類の映像信号の中から、前記各表示領域に表示させる映像信号を選択する。
【００１２】
本発明の一側面の情報処理方法およびプログラムは、上述した本発明の一側面の情報処理装置に対応する方法およびプログラムである。
【００１３】
本発明の一側面の情報処理装置および方法、並びにプログラムにおいては、複数種類の映像信号のそれぞれに対応する各映像を、表示装置の表示領域を分割した各分割領域にそれぞれ表示させるタイミングの制御が、前記各分割領域毎に独立して実行される。
【発明の効果】
【００１４】
以上のごとく、本発明によれば、走査周波数の異なる映像信号をひとつの表示装置（ディスプレイ）内に分割表示できるようになる。その結果、同じ特性を示す一つのディスプレイ内で異なる走査周波数の映像信号を比較することができる。
【発明を実施するための最良の形態】
【００１５】
最初に、本発明の理解を容易にし、且つ、背景を明らかにするため、従来の技術について図１を参照して説明する。
【００１６】
図１は、従来の情報処理装置の構成例を示すブロック図である。
【００１７】
図１の例の従来の情報処理装置は、主制御部１、走査周波数変換部２、タイミング制御部３、ソースドライバ４、ゲートドライバ５およびＴＦＴ（Thin Film Transistor）液晶表示パネル６から構成される。また、走査周波数変換部２は、セレクタ部１１，１３，１４、２４→６０Ｈｚ変換部１２，２４→１２０Ｈｚ変換部１５（２４Ｈｚ ５度出し），６０→１２０Ｈｚ変換部１６（６０Ｈｚ ２度出し），および６０→１２０Ｈｚ変換部１７（フレーム生成）から構成される。
【００１８】
入力映像信号（図１の例では２４Ｈzおよび６０Ｈｚ）は、走査周波数変換部２中のセレクタ部１１に入力される。
【００１９】
セレクタ部１１は、主制御部１の制御により、２４Ｈｚの入力映像信号の出力先として、２４→６０Ｈｚ変換部１２または２４→１２０Ｈｚ変換部１５を選択する。即ち、２４Ｈｚの入力映像信号は、２４→６０Ｈｚ変換部１２または２４→１２０Ｈｚ変換部１５に提供される。
【００２０】
また、セレクタ部１１は、６０Ｈｚの入力映像信号の出力先として、セレクタ部１３またはセレクタ部１４を選択する。即ち、６０Ｈｚの入力映像信号は、セレクタ部１３またはセレクタ部１４に提供される。
【００２１】
２４→６０Ｈｚ変換部１２は、セレクタ部４から提供された２４Ｈｚの入力映像信号の走査周波数を６０Ｈｚに変換した後に、セレクタ部１３およびセレクタ部１４に提供する。
【００２２】
セレクタ部１３には、６０Ｈｚの入力映像信号と、２４Ｈｚの入力映像信号が６０Ｈｚに変換された映像信号とが入力される。セレクタ部１３は、主制御部１の制御により、入力された２つの６０Ｈｚの映像信号のうち１つを選択して、６０→１２０Ｈｚ変換部１６に提供する。
【００２３】
セレクタ部１４には、６０Ｈｚの入力映像信号と、２４Ｈｚの入力映像信号が６０Ｈｚに変換された映像信号とが入力される。セレクタ部１４は、主制御部１の制御により、入力された２つの６０Ｈｚの映像信号のうち１つを選択して、６０→１２０Ｈｚ変換部１７に提供する。
【００２４】
２４→１２０Ｈｚ変換部１５は、２４Ｈｚの入力映像信号の走査周波数を１２０Ｈｚに変換した後に、タイミング制御部３に提供する。なお、２４→１２０Ｈｚ変換部１５の変換手法としては、図中かっこ書きに示されるように、２４Ｈｚの映像信号を構成するフレームを、２４Ｈｚ内に５回出力することで、１２０Ｈｚの信号に変換するという手法が採用されている。
【００２５】
６０→１２０Ｈｚ変換部１６は、６０Ｈｚの入力映像信号の走査周波数を１２０Ｈｚに変換した後に、タイミング制御部３に提供する。なお、６０→１２０Ｈｚ変換部１６の変換手法は、図中かっこ書きに示されるように、６０Ｈｚの映像信号を構成するフレームを、６０Ｈｚ内に２回出力することで、１２０Ｈｚの信号に変換するという手法が採用されている。
【００２６】
６０→１２０Ｈｚ変換部１７は、６０Ｈｚの入力映像信号の走査周波数を１２０Ｈｚに変換した後に、タイミング制御部３に提供する。なお、６０→１２０Ｈｚ変換部１７の変換手法は、図中かっこ書きに示されるように、６０Ｈｚの映像信号に基づいて、適当な手法で新たなフレームを予測生成し、６０Ｈｚの入力信号の各フレーム間に内挿していくことで、１２０Ｈｚの信号に変換するという手法が採用されている。
【００２７】
タイミング制御部３は、提供された１２０Ｈｚの入力映像信号を、ソースドライバ４およびゲートドライバ５に供給する。これにより、１２０Ｈｚの入力映像信号に対応する映像が、ソースドライバ４およびゲートドライバ５の制御により、ＴＦＴ液晶表示パネル１３に表示される。
【００２８】
このような図１の例のように、走査周波数の異なる映像信号を入力可能な従来のディスプレイは、入力映像信号の走査周波数によらず、出力映像信号の走査周波数が一定となるように内部変換を行い表示していた。
【００２９】
内部変換としては、単純に内部フォーマット変換するものを始め、上述の例のように、走査周波数変換などの信号処理を含むものもある。これら走査周波数変換の手法についても、2-3プルダウン、2-2プルダウンなど、フレームを繰り返し表示する手法や、内挿フレームを予測生成する手法等が存在する。
【００３０】
また、液晶ディスプレイの問題点のひとつとして応答速度不足による残像ボケがある。この問題点を解決すべく映像信号の走査周波数を、入力時点の周波数以上に変換して出力する手法も開発されている。このように、走査周波数変換をはじめとする各種内部変換によって周波数が変換された各映像は、本来視覚的に異なった見え方をする。しかしながら、図１の例のように出力映像信号の走査周波数が固定のディスプレイでは、それぞれを同時に比較することができない。
【００３１】
走査周波数の異なる映像信号を比較評価する従来の手法として、異なる走査周波数で駆動するディスプレイを複数台並べる手法や、は同一ディスプレイを分割表示する手法が存在する。
【００３２】
前者の従来の手法のひとつの実現例として、異なる走査周波数で駆動するパネルを張り合わせてひとつのディスプレイを構成する手法を採用できる。しかしながら、この手法では、ディスプレイごとにドライバを配置するためのスペースが必要であり、並列度が高まるに従い、物理的境界の無い同一のディスプレイとして構成するのは困難である。また複数のディスプレイは固体差を持ち、視野角特性の補償も重要であり、特性を均質に標準化する作業が別途必要となり、厳密な比較は困難である。
【００３３】
また、後者の手法を採用した場合、出力走査周波数が固定のディスプレイでは、走査周波数の低い映像信号は、走査周波数が高い映像信号と同じタイミングで駆動しなければならない。よって、同じ信号で複数回駆動する方法、CRT（Cathode Ray Tube）のようなインパルス発光をエミュレーションする黒挿入する手法などが必要となる。このため、本来の走査周波数を完全に再現した状態で比較評価できない。これらは、走査周波数が異なる映像信号の総合的な表示装置というシステム構成が考慮されていないためである。
【００３４】
そこで、本発明人は、これらの従来の問題を解決して、走査周波数の異なる映像信号をひとつのディスプレイ内に分割表示できる情報処理装置等を発明した。そこで、以下、図２以降の図面を参照して、本発明の実施の形態について説明する。
【００３５】
図２は、本発明が適用される情報処理装置の構成例を示す機能ブロック図である。
【００３６】
図２の例の情報処理装置は、走査周波数変換部２１、タイミング制御部２２、ソースドライバ２３、ゲートドライバ２４およびＴＦＴ液晶表示パネル２５から構成されている。
【００３７】
走査周波数ｆinＨｚの入力映像信号は、走査周波数変換部２１に入力される。
【００３８】
走査周波数変換部２１は、入力映像信号の走査周波数を、ｆinＨｚからｆ1Ｈｚ乃至ｆnＨｚ（ｎは２以上の整数値）に変換して、それぞれタイミング制御部２２に提供する。なお、ｆｐ（ｐは１乃至ｎのうちの任意の整数値）Ｈｚと、ｆｑ（ｑは、ｐを除く１乃至ｎのうちの任意の整数値）Ｈｚとは、必ずしも異なる周波数を意味しない。即ち、走査周波数変換部２１における内部変換の走査周波数変換方式が異なる場合があるからである。
【００３９】
タイミング制御部２２は、走査周波数ｆ1Ｈｚ乃至ｆnＨｚの各映像信号に対して、任意の走査周波数とパネル入力インタフェースに応じた変換を行った後、変換後の各映像信号をソースドライバ２３およびゲートドライバ２４に提供する。
【００４０】
これにより、ＴＦＴ液晶表示パネル２５は、ソースドライバ２３およびゲートドライバ２４の制御に基づいて、ひとつの画面内の分割された各領域に、走査周波数変換方式の異なる映像信号を同時に表示することができるようになる。
【００４１】
このとき、走査周波数ｆinＨｚの入力映像信号の総画素数および表示分割数に対し、ＴＦＴ液晶表示パネル２５の画素数が十分でない場合、走査周波数変換部２１またはタイミング制御部２２においてバッファを持たせ、走査周波数ｆinＨｚの入力映像信号中の任意のフレーム枠で表示する必要がある。
【００４２】
次に、図２の例の情報処理装置の具体的な構成例について、幾つか説明する。
【００４３】
図３は、図２の例の情報処理装置の機能的構成の詳細例を示す機能ブロック図である。図３の例では、ＴＦＴ液晶表示パネル２５の表示分割数ｎは４とされている。また、図３の例では、入力映像信号の走査周波数が、２４Ｈｚまたは６０Ｈｚから、２４Ｈｚ、６０Ｈｚまたは１２０Ｈｚに変換される。
【００４４】
ここで、ＴＦＴ液晶表示パネル２５は、ソースドライバ２３−ｋ（ｋは、１乃至ｎのうちの整数値）とゲートドライバ２４−ｋとを１組として、これらを表示分割数ｎと同数のｎ組を有する構成となっている。図３の例では、ｎ＝４であることから、ＴＦＴ液晶表示パネル２５は表示分割数が４である。よって、図３に示されるように、ソースドライバ２３−１とゲートドライバ２４−１との組、ソースドライバ２３−２とゲートドライバ２４−２との組、ソースドライバ２３−３とゲートドライバ２４−３との組、および、ソースドライバ２３−４とゲートドライバ２４−４との組の４つの組が存在する。
【００４５】
図３の例の情報処理装置は、主制御部４１、走査周波数変換部２１、タイミング制御部２２−１乃至２２−４、ソースドライバ２３−１乃至２３−４、ゲートドライバ２４−１乃至２４−４、およびＴＦＴ液晶表示パネル２５から構成される。
【００４６】
走査周波数変換部２１は、セレクタ部５１，５３，５４，５５，５９、２４→６０Ｈｚ変換部５２，２４→１２０Ｈｚ変換部５６（２４Ｈｚ ５度出し）、６０→１２０Ｈｚ変換部５７（６０Ｈｚ ２度出し）、６０→１２０Ｈｚ変換部５８（フレーム生成）から構成されている。
【００４７】
入力映像信号（図３の例では２４Ｈzおよび６０Ｈｚ）は、走査周波数変換部２１中のセレクタ部５１に入力される。
【００４８】
セレクタ部５１は、主制御部４１の制御により、２４Ｈｚの入力映像信号の出力先として、セレクタ部５９、２４→１２０Ｈｚ変換部５６、または、２４→６０Ｈｚ変換部５２を選択する。即ち、２４Ｈｚの入力映像信号は、セレクタ部５９、２４→６０Ｈｚ変換部５２または２４→１２０Ｈｚ変換部５６に提供される。
【００４９】
２４→６０Ｈｚ変換部５２は、セレクタ部５１から提供された２４Ｈｚの入力映像信号の走査周波数を６０Ｈｚに変換した後に、セレクタ部５３およびセレクタ部５４に提供する。
【００５０】
セレクタ部５３は、２４Ｈｚの入力映像信号が６０Ｈｚに変換された映像信号の出力先として、セレクタ部５９またはセレクタ部５５を選択する。即ち、６０Ｈｚの入力映像信号は、セレクタ部５９またはセレクタ部５５に提供される。
【００５１】
セレクタ部５４には、６０Ｈｚの入力映像信号と、２４Ｈｚの入力映像信号が６０Ｈｚに変換された映像信号とが入力される。セレクタ部５４は、主制御部４１の制御により、入力された２つの６０Ｈｚの映像信号のうち１つを選択して、６０→１２０Ｈｚ変換部５８に提供する。
【００５２】
セレクタ部５５には、６０Ｈｚの入力映像信号と、２４Ｈｚの入力映像信号が６０Ｈｚに変換された映像信号とが入力される。セレクタ部５５は、主制御部４１の制御により、入力された２つの６０Ｈｚの映像信号のうち１つを選択して、６０→１２０Ｈｚ変換部５
７に提供する。
【００５３】
２４→１２０Ｈｚ変換部５６は、２４Ｈｚの入力映像信号の走査周波数を１２０Ｈｚに変換した後に、セレクタ部５９に提供する。なお、２４→１２０Ｈｚ変換部５６の変換手法としては、かっこ書きに示されるように、２４Ｈｚの映像信号を構成するフレームを、２４Ｈｚ内に５回出力することで、１２０Ｈｚの信号に変換するという手法が採用されている。
【００５４】
６０→１２０Ｈｚ変換部５７は、６０Ｈｚの入力映像信号の走査周波数を１２０Ｈｚに変換した後に、セレクタ部５９に提供する。なお、６０→１２０Ｈｚ変換部５７の変換手法は、かっこ書きに示されるように、６０Ｈｚの映像信号を構成するフレームを、６０Ｈｚ内に２回出力することで、１２０Ｈｚの信号に変換するという手法が採用されている。
【００５５】
６０→１２０Ｈｚ変換部５８は、６０Ｈｚの入力映像信号の走査周波数を１２０Ｈｚに変換した後に、セレクタ部５９に提供する。なお、６０→１２０Ｈｚ変換部５８の変換手法は、かっこ書きに示されるように、６０Ｈｚの映像信号に基づいて、適当な手法で新たなフレームを予測生成し、６０Ｈｚの入力信号の各フレーム間に内挿していくことで、１２０Ｈｚの信号に変換するという手法が採用されている。
【００５６】
このようにして、セレクタ部５９には、それぞれ走査周波数変換方式若しくは走査周波数またはその両方の異なる８種類の映像信号が提供される。
【００５７】
セレクタ部５９は、主制御部４１の制御により、これら８種類の映像信号のいずれかを選択的に、走査周波数ｆ１Ｈｚ乃至ｆ４Ｈｚの映像信号として各タイミング制御部２２−１乃至２２−４のそれぞれに提供する。
【００５８】
タイミング制御部２２−１は、提供された走査周波数ｆ１Ｈｚの映像信号をソースドライバ２３−１とゲートドライバ２４−１との組に提供する。これにより、走査周波数ｆ１Ｈｚの入力映像信号に対応する映像が、ソースドライバ２３−１とゲートドライバ２４−１との組の制御により、ＴＦＴ液晶表示パネル２５の表示画面を４分割した表示領域のうち、左上の表示領域に表示される。
【００５９】
タイミング制御部２２−２は、提供された走査周波数ｆ２Ｈｚの映像信号をソースドライバ２３−２とゲートドライバ２４−２との組に提供する。これにより、走査周波数ｆ２Ｈｚの入力映像信号に対応する映像が、ソースドライバ２３−２とゲートドライバ２４−２との組の制御により、ＴＦＴ液晶表示パネル２５の表示画面を４分割した表示領域のうち、右上の表示領域に表示される。
【００６０】
タイミング制御部２２−３は、提供された走査周波数ｆ３Ｈｚの映像信号をソースドライバ２３−３とゲートドライバ２４−３との組に提供する。これにより、走査周波数ｆ３Ｈｚの入力映像信号に対応する映像が、ソースドライバ２３−３とゲートドライバ２４−３との組の制御により、ＴＦＴ液晶表示パネル２５の表示画面を４分割した表示領域のうち、左下の表示領域に表示される。
【００６１】
タイミング制御部２２−４は、提供された走査周波数ｆ４Ｈｚの映像信号をソースドライバ２３−４とゲートドライバ２４−４との組に提供する。これにより、走査周波数ｆ４Ｈｚの入力映像信号に対応する映像が、ソースドライバ２３−４とゲートドライバ２４−４との組の制御により、ＴＦＴ液晶表示パネル２５の表示画面を４分割した表示領域のうち、右下の表示領域に表示される。
【００６２】
このように、ソースドライバ２３−ｋとゲートドライバ２４−ｋとを１組として、この組を表示分割数４と同数の４組をＴＦＴ液晶表示パネル２５の駆動に適用することができる。この場合、各組にそれぞれ異なる走査周波数の映像信号を入力させることができる。これにより、同一特性を示す一つのＴＦＴ液晶表示パネル２５を４分割したそれぞれの表示領域に、異なる走査周波数の映像信号を表示することができる。なお、ここで、異なる走査周波数の映像信号とは、走査周波数自体が異なる場合のみならず、走査周波数は同一であっても、内部変換等による走査周波数の変換方法が異なる場合も含む広義な概念である。
【００６３】
次に、図４および図５を参照して、図３の例のソースドライバ２３−１とゲートドライバ２４−１の組の駆動例、ソースドライバ２３−２とゲートドライバ２４−２の組の駆動例について説明する。
【００６４】
図４は、ソースドライバ２３−１とゲートドライバ２４−１との組の駆動例を説明するタイミングチャートである。
【００６５】
図４の上段の「Source２３−１ Data」と記載されたタイミングチャートは、ソースドライバ２３−１にチャージされるデータ、即ち、走査周波数ｆ１の映像信号に対応するデータのタイミングチャートである。図４の中段の「Source２３−１ Load」と記載されたタイミングチャートは、ソースドライバ２３−１のロードの状態（ＯＮ状態／ＯＦＦ状態）を示す信号のタイミングチャートである。図４の下段の「Gate２４−１」と記載されたタイミングチャートは、ゲートドライバ２４−１の状態（ＯＮ状態／ＯＦＦ状態）を示す信号のタイミングチャートである。
【００６６】
これらの各タイミングチャートの信号に基づく動作は、タイミング制御部２２−１によって制御される。
【００６７】
時刻t1乃至時刻t3までの１水平駆動期間１Ｈf1である期間Ａ−１においては、次のような動作が行われる。即ち、時刻t1に、ソースドライバ２３−１のロード状態がＯＮ状態になり、ＯＮ状態が継続されている間、ソースドライバ２３−１にデータＤf1がチャージされる。即ち、ソースドライバ２３−１のロード状態がＯＦＦ状態になると、ソースドライバ２３−１へのデータＤf1のチャージが終了する。そして、時刻t2に、ゲートドライバ２４−１の状態がオン状態になる。これにより、ソースドライバ２３−１にチャージされたデータＤf1は、時刻t3までの間順次出力されていく。
【００６８】
その後の時刻t3乃至時刻t4までの１水平駆動期間１Ｈf1である期間Ａ−２や、時刻t4乃至時刻t5までの１水平駆動期間１Ｈf1である期間Ａ−３でも、同様の動作が行われる。
【００６９】
図５は、ソースドライバ２３−３とゲートドライバ２４−３との組の駆動例を説明するタイミングチャートである。
【００７０】
図５の上段の「Source２３−３ Data」と記載されたタイミングチャートは、ソースドライバ２３−３にチャージされるデータ、即ち、走査周波数ｆ３の映像信号に対応するデータのタイミングチャートである。図５の中段の「Source２３−３ Load」と記載されたタイミングチャートは、ソースドライバ２３−３のロードの状態（ＯＮ状態／ＯＦＦ状態）を示す信号のタイミングチャートである。図５の下段の「Gate２４−３」と記載されたタイミングチャートは、ゲートドライバ２４−３の状態（ＯＮ状態／ＯＦＦ状態）を示す信号のタイミングチャートである。
【００７１】
なお、時刻t1乃至時刻t5は、図４と同一の時刻を示している。
【００７２】
これらの各タイミングチャートの信号に基づく動作は、タイミング制御部２２−３によって制御される。
【００７３】
時刻t1乃至時刻t4までの１水平駆動期間１Ｈf3（例えば図４の１水平駆動期間１Ｈf1の２倍の期間）である期間Ｂ−１においては、次のような動作が行われる。即ち、時刻t1に、ソースドライバ２３−３のロード状態がＯＮ状態になり、ＯＮ状態が継続されている間、ソースドライバ２３−３にデータＤf3がチャージされる。即ち、ソースドライバ２３−３のロード状態がＯＦＦ状態になると、ソースドライバ２３−３へのデータＤf3のチャージが終了する。そして、時刻t11に、ゲートドライバ２４−３の状態がオン状態になる。これにより、ソースドライバ２３−３にチャージされたデータＤf3は、時刻t4までの間順次出力されていく。
【００７４】
その後の時刻t4から開始する１水平駆動期間１Ｈf3である期間Ｂ−２でも、同様の動作が行われる。
【００７５】
以上、図４と図５を用いて説明したように、図３の例では、TFT液晶表示パネル２５を４分割した各表示領域への表示対象となる各映像信号、即ち、走査周波数の異なる映像信号は、互いに独立に駆動されることになる。
【００７６】
以上、本発明が適用される情報処理装置の一実施の形態について、図３乃至図５を参照して説明した。勿論、本実施の形態においては、表示分割数ｎ＝４としたが、ｎ＝４には限定されない。
【００７７】
次に、図６および図７を参照して、本発明が適用される情報処理装置であって、図３の例とは異なる実施の形態について説明する。
【００７８】
図６は、図２の例の情報処理装置の機能的構成の詳細例であって、図３の例とは異なる例を示す機能ブロック図である。
【００７９】
図６において、図３と対応する箇所には対応する符号を付してあり、それらの説明は適宜省略する。
【００８０】
図６の例では、図３の例と同様に、ＴＦＴ液晶表示パネル２５の表示分割数ｎは４でとされている。また、図６の例では、入力映像信号の走査周波数が、２４Ｈｚまたは６０Ｈｚから、２４Ｈｚ、６０Ｈｚまたは１２０Ｈｚに変換される。
【００８１】
ただし、ＴＦＴ液晶表示パネル２５が有するソースドライバ２３とゲートドライバ２４の数の比率は、図３の例では１対１であったのに対して、図６の例では１対２である。即ち、図６の例では、２つのソースドライバ２３−１３，２３−２４に対して、４つのゲートドライバ２４−１乃至２４−４が、ＴＦＴ液晶表示パネル２５に設けられている。
【００８２】
このため、タイミング制御部２２−１は、提供された走査周波数ｆ１Ｈｚの映像信号をソースドライバ２３−１３とゲートドライバ２４−１とに提供する。これにより、走査周波数ｆ１Ｈｚの入力映像信号に対応する映像が、ソースドライバ２３−１３とゲートドライバ２４−１との制御により、ＴＦＴ液晶表示パネル２５の表示画面を４分割した表示領域のうち、左上の表示領域に表示される。
【００８３】
タイミング制御部２２−２は、提供された走査周波数ｆ２Ｈｚの映像信号をソースドライバ２３−２４とゲートドライバ２４−２とに提供する。これにより、走査周波数ｆ２Ｈｚの入力映像信号に対応する映像が、ソースドライバ２３−２４とゲートドライバ２４−２との制御により、ＴＦＴ液晶表示パネル２５の表示画面を４分割した表示領域のうち、右上の表示領域に表示される。
【００８４】
タイミング制御部２２−３は、提供された走査周波数ｆ３Ｈｚの映像信号をソースドライバ２３−１３とゲートドライバ２４−３とに提供する。これにより、走査周波数ｆ３Ｈｚの入力映像信号に対応する映像が、ソースドライバ２３−１３とゲートドライバ２４−３との制御により、ＴＦＴ液晶表示パネル２５の表示画面を４分割した表示領域のうち、左下の表示領域に表示される。
【００８５】
タイミング制御部２２−４は、提供された走査周波数ｆ４Ｈｚの映像信号をソースドライバ２３−２４とゲートドライバ２４−４とに提供する。これにより、走査周波数ｆ４Ｈｚの入力映像信号に対応する映像が、ソースドライバ２３−４とゲートドライバ２４−４との組の制御により、ＴＦＴ液晶表示パネル２５の表示画面を４分割した表示領域のうち、右下の表示領域に表示される。
【００８６】
即ち、図６の例では、１つのソースドライバ２３−１３と、２つのゲートドライバ２４−１，２４−３とが１つの組になる。同様に、１つのソースドライバ２３−２４と、２つのゲートドライバ２４−２，２４−４とが１つの組になる。
【００８７】
なお、上述した以外の図６の例の構成は、図３の例の構成と同様である。よって、これらの構成については、その説明を省略する。
【００８８】
次に、図７を参照して、図６の例の１組、即ち、１つのソースドライバ２３−１３と、２つのゲートドライバ２４−１，２４−３とからなる組の駆動例について説明する。
【００８９】
即ち、図７は、１つのソースドライバ２３−１３と、２つのゲートドライバ２４−１，２４−３とからなる組の駆動例を説明するタイミングチャートである。
【００９０】
図７の上から１段目の「Source２３−１３ Data」と記載されたタイミングチャートは、ソースドライバ２３−１３にチャージされるデータ、即ち、走査周波数ｆ１の映像信号に対応するデータ、または、走査周波数ｆ３の映像信号に対応するデータのタイミングチャートである。図７の上から２段目の「Source２３−１３ Load」と記載されたタイミングチャートは、ソースドライバ２３−１３のロードの状態（ＯＮ状態／ＯＦＦ状態）を示す信号のタイミングチャートである。図７の上から３段目の「Gate２４−１」と記載されたタイミングチャートは、ゲートドライバ２４−１の状態（ＯＮ状態／ＯＦＦ状態）を示す信号のタイミングチャートである。図７の上から４段目（最下段）の「Gate２４−３」と記載されたタイミングチャートは、ゲートドライバ２４−３の状態（ＯＮ状態／ＯＦＦ状態）を示す信号のタイミングチャートである。
【００９１】
これらの各タイミングチャートの信号に基づく動作は、タイミング制御部２２−１，２２−３によって制御される。
【００９２】
時刻t21乃至t23の期間Ｃ−１においては、次のような動作が行われる。即ち、時刻t21に、ソースドライバ２３−１３のロード状態がＯＮ状態になり、ＯＮ状態が継続されている間、ソースドライバ２３−１３に、走査周波数ｆ１の映像信号に対応するデータＤf1がチャージされる。即ち、ソースドライバ２３−１３のロード状態がＯＦＦ状態になると、ソースドライバ２３−１３へのデータＤf1のチャージが終了する。そして、時刻t22に、ゲートドライバ２４−１の状態がオン状態になる。これにより、ソースドライバ２３−１３にチャージされたデータＤf1は、時刻t23までの間順次出力されていく。
【００９３】
このようにして、期間Ｃ−１では、走査周波数ｆ１の映像信号に対応するデータＤf1が、ＴＦＴ液晶表示パネル２５の表示画面を４分割した表示領域のうち、左上の表示領域の１ラインに書き込まれていく。よって、期間Ｃ−１は、１水平駆動期間１Ｈf1以内とされる。
【００９４】
次の期間Ｃ−２、即ち、時刻t23乃至t25の期間Ｃ−２においては、次のような動作が行われる。即ち、時刻t23に、ソースドライバ２３−１３のロード状態がＯＮ状態になり、ＯＮ状態が継続されている間、ソースドライバ２３−１３に、走査周波数ｆ３の映像信号に対応するデータＤf3がチャージされる。即ち、ソースドライバ２３−１３のロード状態がＯＦＦ状態になると、ソースドライバ２３−１３へのデータＤf3のチャージが終了する。そして、時刻t24に、ゲートドライバ２４−３の状態がオン状態になる。これにより、ソースドライバ２３−１３にチャージされたデータＤf3は、時刻t25までの間順次出力されていく。
【００９５】
このようにして、期間Ｃ−２では、走査周波数ｆ３の映像信号に対応するデータＤf3が、ＴＦＴ液晶表示パネル２５の表示画面を４分割した表示領域のうち、左下の表示領域の１ラインに書き込まれていく。よって、期間Ｃ−２は、１水平駆動期間１Ｈf3以内とされる。
【００９６】
次の期間Ｃ−３、即ち、時刻t25乃至t28の期間Ｃ−３においては、次のような動作が行われる。即ち、時刻t25に、ソースドライバ２３−１３のロード状態がＯＮ状態になり、ＯＮ状態が継続されている間、ソースドライバ２３−１３に、走査周波数ｆ１の映像信号に対応するデータＤf1がチャージされる。即ち、ソースドライバ２３−１３のロード状態がＯＦＦ状態になると、ソースドライバ２３−１３へのデータＤf1のチャージが終了する。そして、時刻t26に、ゲートドライバ２４−１の状態がオン状態になり、ＯＮ状態が継続されている間、ソースドライバ２３−１３にチャージされたデータＤf1は順次出力されていく。即ち、時刻t27に、ゲートドライバ２４−１の状態がＯＦＦ状態になると、データＤf1の出力は終了する。
【００９７】
このようにして、期間Ｃ−３では、走査周波数ｆ１の映像信号に対応するデータＤf1が、ＴＦＴ液晶表示パネル２５の表示画面を４分割した表示領域のうち、左上の表示領域の１ラインに書き込まれていく。よって、期間Ｃ−３は、１水平駆動期間１Ｈf1以内とされる。
【００９８】
その後、時刻t28になり期間Ｃ−３が終了し期間Ｃ−４に移行すると、期間Ｃ−１と同様の動作が行われる。時刻t29になり期間Ｃ−４が終了し期間Ｃ−５に移行すると、期間Ｃ−２と同様の動作が行われる。時刻t30になり、期間Ｃ−５が終了し期間Ｃ−６に移行すると、期間Ｃ−３と同様の動作が行われる。
【００９９】
即ち、期間Ｃ−１乃至期間Ｃ−３までの動作が１単位とされ、その単位の動作が繰り返し実行されていく。
【０１００】
以上、図２の例の情報処理装置の実施の形態として、図３の例と図６の例との２つの例について説明してきた。図３の例では、１つのソースドライバ２３と１つのゲートドライバ２４とを一組として、これらの組が表示分割数ｎと同数必要とされた。これに対して、図６の例では、２つのゲートドライバ２４に対して１つの共通ソースドライバ２３が用いられている。即ち、図６の例では、図３の例と比較して、２個分のソースドライバ２３を削減することができる。これは、図７を用いて説明したように、２つのゲートドライバ２４の各水平１ライン駆動時間内に共通のソースドライバ２３から各ゲートドライバ２４へ時分割に重複をさけるよう信号供給が可能なように制御することができるからである。
【０１０１】
してみると、複数のゲートドライバ２４の各水平１ライン駆動時間内に共通のソースドライバ２３から各ゲートドライバ２４へ時分割に重複をさけるよう信号供給が可能なように制御することができる場合には、必要なソースドライバ２３の数を削減することができるということを意味している。
【０１０２】
即ち、時分割で駆動タイミングの重複を回避することができる限り、ＴＦＴ液晶表示パネル２５の分割数ｎに対して、ソースドライバ２３とゲートドライバ２４の比率は１対ｘ（xはｎ以下の整数値）で構成できる。
【０１０３】
ただし、異なる走査周波数を独立に駆動する場合に対し、時分割で駆動タイミングの重複を回避する場合、実駆動時間が短くなるため、ＴＦＴ液晶表示パネル２５の応答遷移状態への影響を考慮する必要がある。
【０１０４】
また、駆動タイミングを優先するため、表示分割領域と走査周波数の割り当てに制限を受けることも考慮する必要がある。
【０１０５】
なお、図３の例や図６の例では、ＴＦＴ液晶表示パネル２５をｎ分割した表示領域に異なる走査周波数の各映像信号をそれぞれ表示するために、複数個のソースドライバ２３およびゲートドライバ２４を使用している。ただし、一つの画素に対して複数の制御線を有するドライバを使用した場合、必要なドライバの個数を減らすことも可能である。
【０１０６】
また、以上、本発明が適用された情報処理装置により表示が制御される表示装置として、液晶型表示装置（図３や図６の例では、ＴＦＴ液晶表示パネル２５を含む表示装置）について説明してきた。ただし、本発明は、液晶型表示装置のみならず、次のような表示装置にも適用可能である。即ち、動画像を構成するフレームやフィールドといった単位（以下、かかる単位をコマと称する）毎に表示が指示される表示装置であって、所定時間の間、１コマを構成する複数の画素が表示素子により構成されており、それら表示素子のうちの少なくとも一部の表示を保持させることができる表示装置に適用できる。なお、以下、かかる表示素子をホールド型表示素子と称し、かかるホールド型表示素子により画面が構成される表示装置を、ホールド型表示装置と称する。即ち、液晶表示装置はホールド型表示装置の例示にしか過ぎず、本発明は、ホールド型表示装置全体に適用可能である。
【０１０７】
さらに、本発明は、ホールド型表示装置のみならず、例えば、発光素子として有機ＥＬ(Electro Luminescent)デバイスを用いた平面自発光型の表示装置等にも適用可能である。即ち、本発明は、画像が複数の画素から構成され、その画素を表示する表示素子を含む表示装置全体に適用可能である。なお、かかる表示装置を、画素型表示装置と称する。ここで、画素型表示装置において、１つの画素に１つの表示素子が必ずしも対応付けられている必要は特に無い。
【０１０８】
換言すると、本発明の適用先は、ディスプレイ方式の表示装置に限定されない。
【図面の簡単な説明】
【０１０９】
【図１】従来の走査周波数変換を行う情報処理装置を示す図である。
【図２】本発明が適用される情報処理装置の機能的構成例を示す機能ブロック図である。
【図３】図２の情報処理装置の機能的構成の詳細例を示す機能ブロック図である。
【図４】図３におけるソースドライバ２３−１およびゲートドライバ２４−１の駆動例を示す図である。
【図５】図３におけるソースドライバ２３−３およびゲートドライバ２４−３の駆動例を示す図である。
【図６】図２の情報処理装置の機能的構成の詳細例であって、図３とは異なる例を示す機能ブロック図である。
【図７】図７におけるソースドライバ２３−１３、ゲートドライバ２４−１およびゲートドライバ２４−３駆動例を示す図である。
【符号の説明】
【０１１０】
１  主制御部、  ２  走査周波数変換部、  ３  タイミング制御部、  ４  ソースドライバ，  ５  ゲートドライバ，  ６  ＴＦＴ液晶表示パネル，１１  セレクタ部、  １２  ２４→６０Ｈｚ変換部、  １３，１４  セレクタ部、  １５  ２４→１２０Ｈｚ変換部，  １６  ６０→１２０Ｈｚ変換部、  １７  ６０→１２０Ｈｚ変換部、  ２１  走査周波数変換部、  ２２，２２−１乃至２２−４  タイミング制御部、  ２３，２３−１乃至２３−４，２３−１３，２３−２４  ソースドライバ、  ２４，２４−１乃至２４−４  ゲートドライバ、  ２５  ＴＦＴ液晶表示パネル、  ４１  主制御部、  ５１  セレクタ部、  ５２  ２４→６０Ｈｚ変換部、  ５３，５４，５５  セレクタ部、  ５６  ２４→１２０Ｈｚ変換部，  ５７  ６０→１２０Ｈｚ変換部、  ５８  ６０→１２０Ｈｚ変換部、  ５９  セレクタ部
【図１】
2010002576.tif 000003
【図２】
2010002576.tif 000004
【図３】
2010002576.tif 000005
【図４】
2010002576.tif 000006
【図５】
2010002576.tif 000007
【図６】
2010002576.tif 000008
【図７】
2010002576.tif 000009
【手続補正書】
【提出日】平成21年6月11日(2009.6.11)
【手続補正１】
【補正対象書類名】明細書
【補正対象項目名】００２１
【補正方法】変更
【補正の内容】
【００２１】
２４→６０Ｈｚ変換部１２は、セレクタ部１１から提供された２４Ｈｚの入力映像信号の走査周波数を６０Ｈｚに変換した後に、セレクタ部１３およびセレクタ部１４に提供する。
【手続補正２】
【補正対象書類名】明細書
【補正対象項目名】００２７
【補正方法】変更
【補正の内容】
【００２７】
タイミング制御部３は、提供された１２０Ｈｚの入力映像信号を、ソースドライバ４およびゲートドライバ５に供給する。これにより、１２０Ｈｚの入力映像信号に対応する映像が、ソースドライバ４およびゲートドライバ５の制御により、ＴＦＴ液晶表示パネル６に表示される。
【手続補正３】
【補正対象書類名】明細書
【補正対象項目名】００６３
【補正方法】変更
【補正の内容】
【００６３】
次に、図４および図５を参照して、図３の例のソースドライバ２３−１とゲートドライバ２４−１の組の駆動例、ソースドライバ２３−３とゲートドライバ２４−３の組の駆動例について説明する。
【手続補正４】
【補正対象書類名】明細書
【補正対象項目名】０１０９
【補正方法】変更
【補正の内容】
【０１０９】
【図１】従来の走査周波数変換を行う情報処理装置を示す図である。
【図２】本発明が適用される情報処理装置の機能的構成例を示す機能ブロック図である。
【図３】図２の情報処理装置の機能的構成の詳細例を示す機能ブロック図である。
【図４】図３におけるソースドライバ２３−１およびゲートドライバ２４−１の駆動例を示す図である。
【図５】図３におけるソースドライバ２３−３およびゲートドライバ２４−３の駆動例を示す図である。
【図６】図２の情報処理装置の機能的構成の詳細例であって、図３とは異なる例を示す機能ブロック図である。
【図７】図６におけるソースドライバ２３−１３、ゲートドライバ２４−１およびゲートドライバ２４−３駆動例を示す図である。
【手続補正５】
【補正対象書類名】図面
【補正対象項目名】図１
【補正方法】変更
【補正の内容】
【図１】
2010002576.tif 000010